(57)【要約】【課題】立体形状であるが、形状変化の少ない植物栽培用袋を提供すること。【解決手段】２層構造の繊維を編みこんだ植物栽培用袋であり、前記植物栽培用袋は立体成形され、前記植物栽培用袋の内部に植物を保持し前記植物を栽培する植物栽培用袋を用いる。また、上記２層構造の繊維は、第１繊維と第２繊維とからなり、上記第１繊維と上記第２繊維とは融点が異なり、上記第１繊維の周囲を上記第２繊維で覆う植物栽培用袋を用いる。【選択図】図２
2017023123.tif 000002
【特許請求の範囲】
【請求項１】
２層構造の繊維を編みこんだ植物栽培用袋であり、
前記植物栽培用袋は立体成形され、
前記植物栽培用袋の内部に植物を保持した植物栽培用袋。
【請求項２】
前記２層構造の繊維は、第１繊維と第２繊維とからなり、前記第１繊維と前記第２繊維とは融点が異なり、前記第１繊維の周囲を前記第２繊維で覆う、請求項１記載の植物栽培用袋。
【請求項３】
前記第１繊維の融点は、前記第２繊維の融点より高い請求項２記載の植物栽培用袋。
【請求項４】
前記第１繊維と前記第２繊維とがポリエステル繊維である請求項２または３記載の植物栽培用袋。
【請求項５】
前記第１繊維の融点と前記第２繊維の融点との差が５０℃以上である請求項２から４のいずれか１項に記載の植物栽培用袋。
【請求項６】
前記植物栽培用袋の内部に、縫い目がない請求項１から５のいずれか１項に記載の植物栽培用袋。
【請求項７】
さらに、前記植物栽培用袋の入り口には、前記植物栽培用袋より厚みが厚いガイドがある請求項１から６のいずれか１項に記載の植物栽培用袋。
【請求項８】
前記ガイドと前記植物栽培用袋とは同じ繊維である請求項７に記載の植物栽培用袋。
【請求項９】
前記繊維間の開口が、前記植物栽培用袋の全体に渡って均質である請求項１から８のいずれか１項に記載の植物栽培用袋。
【請求項１０】
前記繊維が生分解繊維である請求項１記載の植物栽培用袋。
【請求項１１】
前記第１繊維と前記第２繊維には、共通の繊維が含まれる請求項１から１０のいずれか１項に記載の植物栽培用袋。
【請求項１２】
請求項１から１１のいずれか１項に記載の複数の植物栽培用袋であり、
前記複数の植物栽培用袋間で、開口数が同じで開口の大きさが異なる植物栽培用袋のセット。
【請求項１３】
繊維を編み、植物栽培用袋を形成する工程と、
前記植物栽培用袋を立体成形する工程と、を含む植物栽培用袋の製造方法。
【発明の詳細な説明】
【技術分野】
【０００１】
本発明は、木や草など植物を栽培するための袋に関する。
【背景技術】
【０００２】
従来、木や草など植物を栽培するための袋として、次のものがあった（特許文献１）。従来の袋を図１（ａ）〜図１（ｃ）を用いて、説明する。図１（ａ）は、従来の袋１００の斜視図である。図１（ｂ）は、この袋１００を使用した植木鉢１０３の断面図である。図１（ｃ）は、この袋１００を使用した状態での地面１０４の断面図である。
【０００３】
この袋１００では、シート状のものを縫い目１０１で繋ぎ合わせ、立体形状としている。この袋１００内に、植物１０２の根１０５が制限される。図１（ｂ）では、この袋１００により、植木鉢１０３に直接、根１０５が付着しにくい。結果、植物１０２を別の植木鉢１０３へ移し替えることが容易にできる。
【０００４】
図１（ｃ）では、植物１０２が地面１０４に植えられている。根１０５が袋１００の外へあまりでない。この結果、根１０５が広がらないので、植物１０２の植え替え、複数の植物を高密度に地面に植えることができる。
【先行技術文献】
【特許文献】
【０００５】
【特許文献１】特開２０１３−２２３４８８号公報
【発明の概要】
【発明が解決しようとする課題】
【０００６】
しかし、この従来の袋では、縫い目１０１により立体形状を形成していた。そのため、縫い目１０１の部分で変化が激しかった。縫い目１０１の部分は、他の部分と異なる伸び率、空間であった。そのため、植物の根の成長がその部分だけ他の部分と差ができた。結果、植物の成長がよくなかった。
【０００７】
この発明では、立体形状であるが、形状変化の少ない袋、複数のその袋からなるセット、および、その袋の製造方法を提供することを目的とする。
【課題を解決するための手段】
【０００８】
上記課題を解決するために、２層構造の繊維を編みこんだ立体形状の栽培用袋を用いる。また、繊維を編み、袋を形成する工程と、袋立体成形する工程と、を含む植物栽培用袋の製造方法を用いる。また、複数の上記袋であり、上記複数の袋間で、開口数が同じで開口の大きさが異なる植物栽培用袋のセットを用いる。
【発明の効果】
【０００９】
本発明によれば、袋は、縫い目がなく、立体形状である。そのため、植物の成長がよい。
【図面の簡単な説明】
【００１０】
【図１】（ａ）従来の袋の斜視図、（ｂ）従来の袋を使用した植木鉢の断面図、（ｃ）従来の袋を使用した地面の断面図
【図２】（ａ）実施の形態１の袋の斜視図、（ｂ）実施の形態１の袋を使用した植木鉢の断面図、（ｃ）実施の形態１の袋を使用した地面の断面図
【図３】（ａ）実施の形態１の袋の立体化前の斜視図、（ｂ）実施の形態１の袋の立体化工程を示す図、（ｃ）実施の形態１の袋の斜視図、（ｄ）実施の形態１の袋の斜視図
【図４】（ａ）実施の形態２の袋を示す斜視図、（ｂ）〜（ｃ）実施の形態２の袋の使用を示す断面図
【図５】（ａ）図３（ａ）の袋２０の一部拡大図、（ｂ）〜（ｃ）図３（ｃ）に相当する袋１０の拡大図
【発明を実施するための形態】
【００１１】
以下、本発明の実施の形態について図面を参照して詳細に説明する。
（実施の形態１）
実施の形態１の袋を図２（ａ）〜図２（ｃ）で説明する。袋１０は繊維から製造される。図２（ａ）は、実施の形態の袋１０の斜視図である。袋１０は、繊維で編まれ製造されている。少なくとも、袋１０の内部には、立体形状にするための縫い目はない。立体形状のためでない、単なる繋ぎ目はあってもよい。
【００１２】
図２（ｂ）は、実施の形態の袋１０を植木鉢１３に使用した状態を示す断面図である。
図２（ｃ）は、実施の形態の袋１０を地面１４に使用した状態を示す断面図である。
実施の形態の袋１０は、従来の袋１００と異なり、内部に、立体形状用の縫い目がなく、均質である。根の成長を部分的に阻害せず、全体として根の領域を制限できる。袋１０は、従来例の袋１００より、根１５との接触が均質である。その結果、植物の成長がよく、植物の移し替えも容易である。
【００１３】
＜製造方法＞
図３（ａ）〜図３（ｄ）で、袋１０の製造方法を示す。
図３（ａ）の斜視図は、繊維を編んでできた袋２０である。この状態では、立体性に欠ける。靴下や手袋などを編む、機械を用いて、袋２０を作製する。この袋２０には、立体形状用の繋ぎ目がない。
【００１４】
次に、図３（ｂ）の断面図に示すように、熱源２３により袋２０を立体形状化する。結果、図３（ｃ）の斜視図に示すように立体形状の袋１０ができる。自由な形状の袋１０ができる。
熱源２３を自由に設計することにより、例えば円錐形、円柱形、四角錐、台形等々の自由なデザインの袋１０できる。
【００１５】
植物の成長の形状に合わせて、熱源２３の形状を作製し、袋１０を作製できる。植物の成長の形状に合った袋１０を作製できる。
熱源２３により袋２０を全体として変形させるので、繊維間の開口の大きさのばらつきが少なく、均質である。
【００１６】
図３（ｄ）は、用いた繊維の拡大図である。繊維は、２種類の繊維からなる。２種類の繊維は、第１繊維２１と第２繊維２２である。  第１繊維２１の周りを第２繊維２２が覆っている。
たとえば、ポリエステル繊維を用いることができる。第１繊維２１と第２繊維２２とで融点が異なる。この繊維を交編して袋を作製する。図３（ｂ）で、第１繊維２１の融点と第２繊維２２の融点との間の温度を与えることで、袋２０が立体的な袋１０となる。つまり、一方の繊維が溶け、一方が溶けていない状態で、袋２０を立体形状へ変形させ、その状態で冷却し立体形状にする。
【００１７】
袋２０は、繊維を編み込んだニットである。そのため、開口が規則正しい。根の成長により、袋が押される時、根にしたがって部分的にでも変形できる。不織布でなく強度的に丈夫である。
＜実験＞
繊維の種類、構造を変えて、以下評価した。
【００１８】
実施例１では、編み方として、丸編み機を使用し均一な編目を形成した。繊維の太さは、８４デシテックスを使用した。繊維の種類としては、ポリエステルを使用した。繊維の構造は、図３（ｄ）の２層の芯鞘構造を用いた。第１繊維２１の融点を２５０℃、第２繊維の融点を１６０℃としたもの用いた。つまり、外側の繊維を溶かし、立体形状化する。
【００１９】
実施例２〜４は、繊維の材質のみ変更した。
比較例１〜４は、実施例１〜４のそれぞれに対して、繊維の構造を変えた。２重構造から１重構造の繊維にした。
【００２０】
【表１】
2017023123.tif 000003
＜評価＞
成形性は、上記熱処理（図３（ｂ））により、自由な立体形状とできるかで評価した。○は立体形状となる。×は立体形状とならない。
【００２１】
耐久性は、高温高湿処理後袋が破損するかどうかで評価した。高温、高湿条件は、高温高湿試験機を使用し、ＪＩＳ  Ｃ６００６８−３−４に準拠して、温度８０℃、湿度１００％に設定して５００時間放置した。破損するかどうかは、袋の側面を５０Ｋｇの力で引っ張り、破損するか調べた。破損しないものを○、破損したものを×とした。
【００２２】
吸水率は、繊維の水分率から判断した。水分率が、５％以下を○、１〜３％を△、それ以上を×とした。
総合評価は、上記３項目ですべて○なら◎、１つでも×があると×、それ以外○とした。
【００２３】
＜結果＞
上記結果から、２層構造の繊維であれば、立体構造をとれる。繊維としては、合成繊維（合成高分子）ならよい。中でも、ポリアミド系、ポリビニルアルコール系ポリ塩化ビニリデン系ポリ塩化ビニル系ポリエステル系ポリアクリロニトリル系ポリオレフィン系ポリエーテルエステル系ポリウレタン系の合成繊維がよい。さらに、ポリエステルが好ましい。
【００２４】
なぜなら、軽くて丈夫であり、シワになりにくい、日光に強い、他の繊維と比較して熱に強い、油性の汚れがつきやすく、とれにくい、吸水性が低い。このため、耐久性があり、虫が対して強い。根が繊維と絡まず、ルーピングし難い。殺虫剤を吸収しないので、効率が良い。土壌病害、土壌線虫から植物を守ることができる。植物の移動が通年可能である。根を集中させ肥料・殺虫剤の効率を高めることができる。植栽時根鉢が崩れないので根付きが良い。
【００２５】
なお、第１繊維２１の融点と第２繊維２２の融点との差は、上記例では、９０℃であるが、５０℃以上あればよい。袋の場所により温度ばらつきが生じても全体として、第２繊維２２が溶け、成形される。
（実施の形態２）
図４（ａ）に実施の形態２の袋３０を示す。袋３０は、袋１０と異なりガイド３１を縁部分に有する。このガイド３１は、袋３０の繊維でその部分のみ厚く編んだものである。ガイド３１の部分は厚く、袋３０の立体形状の維持を支える。  ガイド３１をつかんで袋３０を扱える。
【００２６】
別材料のガイド３１を袋３０に付けたものでなく、袋３０を製造時に、袋３０と同じ繊維で編んだものである。製造工程が１工程で簡素化できる。また、袋３０と同じ材質なので伸び縮じみも、袋３０とガイド３１とで差がない。長期安定して袋３０を利用できる。
図４（ｂ）に、実施の形態２の袋３０を植木鉢１３に用いた断面図を示す。図４（ｃ）に、実施の形態２の袋３０を地面１４に用いた断面図を示す。どちらも、ガイド３１を表面付近にある。このガイド３１を目印に根１５の範囲がわかる。
【００２７】
（実施の形態３）
図５（ａ）〜図５（ｃ）の平面図で実施の形態３を説明する。図５（ａ）は、図３（ａ）の袋２０の一部拡大部である。図５（ｂ）、図５（ｃ）は、図３（ｃ）に相当する袋１０の拡大図である。
【００２８】
図５（ｂ）と図５（ｃ）とも図５（ａ）を成形した袋１０である。
つまり、もとの袋２０は同じであるが、用途、目的に応じて、袋２０を伸ばし成形する。結果、元の袋２０は１種類でも、袋１０は、種々の袋１０ができる。袋１０間で開口数が同じとなる。
【００２９】
植物の種類に応じて、袋１０の大きさを変更できる。なお、図５（ｂ）、図５（ｂ）では、図示できていないが、繊維の太さが異なる。成形される大きさにより繊維の伸びが異なり。繊維の太さが変わる。
【００３０】
（実施の形態４）
繊維として、生分解繊維を使用することができる。生分解性プラスチックは微生物により分解されるプラスチックである。生分解性プラスチックには、生物資源（バイオマス）由来のバイオプラスチックと、石油由来のものがある。生分解性であれば、原料が何であるかは問わない。主流はバイオプラスチックであり（ただしバイオプラスチックの全てが生分解ではない）、デンプンを原料とするものが多い。
主な生分解性プラスチックの成分として、ポリ乳酸、ポリカプロラクトン、ポリヒドロキシアルカノエート、ポリグリコール酸、変成ポリビニルアルコール、カゼイン、変性デンプンがある。
【００３１】
例えば、第１繊維２１として、ポリ乳酸であるＰＬＬＡ（ｐｏｌｙ−Ｌ−ｌａｃｔｉｃ  ａｃｉｄ）繊維を低融点繊維（融点１７０℃）とする。第２繊維２２は、高融点繊維として、ＰＬＬＡとＰＤＬＡ（ｐｏｌｙ−Ｄ−ｌａｃｔｉｃ  ａｃｉｄ）のステレオコンプレックス（ＳＣ−ＰＬＡ）繊維（融点２１０℃）を用いる。２種類の繊維を引き揃えて製編した生地を円筒物にかぶせて１８０℃で加熱することにより、ＰＬＬＡ繊維のみが融解し、ニット構造を有したＳＣ繊維同士を接着することによって、円筒状のニットメッシュ構造物を得ることが可能となる。
特に、両繊維に共通の繊維（ＰＬＬＡ）をいれるので、両繊維間の接合が確実になる。このことは上記実施の形態でも同様である。
【００３２】
（なお書き）
なお、実施の形態の袋１０、３０には、大きな穴はなく、虫などは袋の内部へ侵入しない。結果、植物を外虫から守る。
【００３３】
また、実施の形態１〜３とは組み合わせることができる。
【産業上の利用可能性】
【００３４】
本願発明の袋は、植物の栽培に広く利用できる。
【符号の説明】
【００３５】
１０、２０、３０  袋
１２  植物
１３  植木鉢
１４  地面
１５  根
２１  第１繊維
２２  第２繊維
２３  熱源
３１  ガイド
１００  袋
１０１  縫い目
１０２  植物
１０３  植木鉢
１０４  地面
１０５  根
【図１】
2017023123.tif 000004
【図２】
2017023123.tif 000005
【図３】
2017023123.tif 000006
【図４】
2017023123.tif 000007
【図５】
2017023123.tif 000008